(57)【要約】【課題】エネルギー管理機能を実行するための専用の装置を不要にできるエネルギー管理モジュール、エネルギー管理装置、エネルギー管理システム、及びプログラムを提供する。【解決手段】エネルギー管理モジュール２は、モジュール側接続部２２と、モジュール側処理部２１とを備える。モジュール側接続部２２は、需要家施設Ｆ１でのエネルギーの消費と生成との少なくとも一方を管理するエネルギー管理機能とは異なる主機能を単体で実行可能な主装置３に接続される。モジュール側処理部２１は、モジュール側接続部２２により主装置３に接続された状態でエネルギー管理機能を実行する。【選択図】図１
2018170939.tif 000002
【特許請求の範囲】
【請求項１】
需要家施設でのエネルギーの消費と生成との少なくとも一方を管理するエネルギー管理機能とは異なる主機能を単体で実行可能な主装置に接続するための接続部と、
前記接続部により前記主装置に接続された状態で前記エネルギー管理機能を実行する処理部とを備える
エネルギー管理モジュール。
【請求項２】
前記主装置が備える主装置側通信部と通信可能な外部装置と、前記主装置を介して通信を行う
請求項１に記載のエネルギー管理モジュール。
【請求項３】
外部装置と通信可能な通信モジュールを介して、前記外部装置と通信を行う
請求項１に記載のエネルギー管理モジュール。
【請求項４】
前記処理部は、前記外部装置と連携して前記エネルギー管理機能を実行する
請求項２又は３に記載のエネルギー管理モジュール。
【請求項５】
前記処理部は、
前記主装置が備える１以上の主装置側機能部が前記エネルギー管理機能に利用できるか否かを判断し、前記エネルギー管理機能を実行する動作を判断結果に応じて変更する変更部を、備える
請求項１〜４のいずれか１項に記載のエネルギー管理モジュール。
【請求項６】
前記処理部は、前記接続部により接続される前記主装置を認証する認証部を、備え、
前記処理部は、前記認証部による前記主装置の認証が失敗したときに前記エネルギー管理機能を制限する
請求項１〜５のいずれか１項に記載のエネルギー管理モジュール。
【請求項７】
所定の機能を実行する１以上のモジュール側機能部を、更に備え、
前記接続部により接続される前記主装置の主装置側制御部によって、前記モジュール側機能部が制御される
請求項１〜６のいずれか１項に記載のエネルギー管理モジュール。
【請求項８】
前記処理部は、前記主装置が備えるヒューマンインタフェースを用いて入力された操作情報に従って、前記エネルギー管理機能を実行する
請求項１〜７のいずれか１項に記載のエネルギー管理モジュール。
【請求項９】
請求項１〜８のいずれか１項に記載のエネルギー管理モジュールと、
前記接続部により前記エネルギー管理モジュールが接続される前記主装置と、を備える
エネルギー管理装置。
【請求項１０】
請求項１〜８のいずれか１項に記載のエネルギー管理モジュールと、
前記接続部により前記エネルギー管理モジュールが接続される前記主装置と、
前記需要家施設でのエネルギーの消費と生成との少なくとも一方に関するエネルギー情報を前記エネルギー管理モジュールから収集する外部装置と、を備える
エネルギー管理システム。
【請求項１１】
需要家施設でのエネルギーの消費と生成との少なくとも一方を管理するエネルギー管理機能とは異なる主機能を単体で実行可能な主装置のコンピュータに、
前記需要家施設でのエネルギーの消費と生成との少なくとも一方に関するエネルギー情報を収集する処理を、
実行させるためのプログラム。
【発明の詳細な説明】
【技術分野】
【０００１】
本発明は、エネルギー管理モジュール、エネルギー管理装置、エネルギー管理システム、及びプログラムに関し、特に、施設での消費エネルギーを管理するエネルギー管理モジュール、エネルギー管理装置、エネルギー管理システム、及びプログラムに関する。
【背景技術】
【０００２】
従来、家庭内の電気機器の消費電力、及び家庭内の総消費電力を収集してメモリに記憶するＨＥＭＳ（Home Energy Management System）コントローラと、ＨＥＭＳサーバとを備えた電力管理システムがあった（例えば特許文献１参照）。この電力管理システムでは、ＨＥＭＳコントローラが、メモリに蓄積した電力に関する情報をＨＥＭＳサーバに送信する。ＨＥＭＳサーバは、ＨＥＭＳコントローラから送信された電力に関する情報に基づいて、ユーザに対するアドバイスを準備する。ユーザは、ユーザ端末（タブレット端末およびパソコン）を用いて、ＨＥＭＳコントローラに蓄積された情報を参照することができる。また、ユーザは、ユーザ端末を用いてＨＥＭＳサイトにアクセスし、消費電力に関するアドバイスを受けることができる。
【先行技術文献】
【特許文献】
【０００３】
【特許文献１】特開２０１５−２２８７４６号公報
【発明の概要】
【発明が解決しようとする課題】
【０００４】
特許文献１の電力管理システムでは、電力に関する情報を収集するＨＥＭＳコントローラ（エネルギー管理モジュール）が、ユーザが電力に関する情報を確認するためのユーザ端末とは別に設けられている。そのため、ユーザは、電力に関する情報を収集する機能（エネルギー管理機能）を有する専用のＨＥＭＳコントローラを用意する必要があり、電力管理システム（エネルギー管理システム）を構成する装置の数が多くなるという問題があった。
【０００５】
本発明の目的は、エネルギー管理機能を実行するための専用の装置を不要にできるエネルギー管理モジュール、エネルギー管理装置、エネルギー管理システム、及びプログラムを提供することにある。
【課題を解決するための手段】
【０００６】
本発明の一態様のエネルギー管理モジュールは、需要家施設でのエネルギーの消費と生成との少なくとも一方を管理するエネルギー管理機能とは異なる主機能を単体で実行可能な主装置に接続するための接続部と、処理部とを備える。前記処理部は、前記接続部により前記主装置に接続された状態で前記エネルギー管理機能を実行する。
【０００７】
本発明の一態様のエネルギー管理装置は、前記エネルギー管理モジュールと、前記接続部により前記エネルギー管理モジュールが接続される前記主装置と、を備える。
【０００８】
本発明の一態様のエネルギー管理システムは、前記エネルギー管理モジュールと、前記主装置と、外部装置とを備える。前記主装置には、前記接続部により前記エネルギー管理モジュールが接続される。前記外部装置は、前記需要家施設でのエネルギーの消費と生成との少なくとも一方に関するエネルギー情報を前記エネルギー管理モジュールから収集する。
【０００９】
本発明の一態様のプログラムは、主装置のコンピュータに、前記需要家施設でのエネルギーの消費と生成との少なくとも一方に関するエネルギー情報を収集する処理を、実行させるためのプログラムである。前記主装置は、需要家施設でのエネルギーの消費と生成との少なくとも一方を管理するエネルギー管理機能とは異なる主機能を単体で実行可能である。
【発明の効果】
【００１０】
本発明によれば、エネルギー管理機能を実行するための専用の装置を不要にできる、という利点がある。
【図面の簡単な説明】
【００１１】
【図１】図１は、本発明の実施形態１に係るエネルギー管理システムのシステム構成を示すブロック図である。
【図２】図２は、本発明の実施形態１の変形例１に係るエネルギー管理システムのシステム構成を示すブロック図である。
【図３】図３は、本発明の実施形態１の変形例２に係るエネルギー管理システムのシステム構成を示すブロック図である。
【図４】図４は、本発明の実施形態１の変形例３に係るエネルギー管理システムのシステム構成を示すブロック図である。
【図５】図５は、本発明の実施形態１の変形例４に係るエネルギー管理システムのシステム構成を示すブロック図である。
【図６】図６は、同上のエネルギー管理システムの動作を説明するフローチャートである。
【発明を実施するための形態】
【００１２】
以下に説明する実施形態は、本発明の種々の実施形態の一つに過ぎない。本発明の実施形態は、下記実施形態に限定されることはなく、この実施形態以外も含み得る。また、下記の実施形態は、本発明に係る技術的思想を逸脱しない範囲であれば、設計などに応じて種々の変更が可能である。
【００１３】
（１）構成
本実施形態に係るエネルギー管理モジュールを備えるエネルギー管理システムは、需要家施設におけるエネルギーの消費と生成との少なくとも一方を管理するエネルギー管理機能を提供する。
【００１４】
ここでいう「需要家施設」は、エネルギー資源の供給事業者からエネルギー資源の供給を受ける需要家の施設である。本実施形態では、戸建住宅を需要家施設の一例として説明する。本実施形態では、「エネルギー資源」が電力である場合を例とするが、エネルギー資源は、都市ガスやプロパンガスのような燃料ガス、あるいは灯油、ガソリンなどであってもよい。この種のエネルギー資源は、需要家が供給事業者から購入し、エネルギーの利用に伴って消費されるという共通点がある。また、エネルギー資源は、上水道を通して供給される水道水のように、直接の利用目的はエネルギーの利用であることは少ないが、供給事業者からの購入が必要である資源を含んでもよい。
【００１５】
図１は、本実施形態のエネルギー管理システム１のシステム構成を示すブロック図である。
【００１６】
エネルギー管理システム１は、エネルギー管理モジュール２と、主装置３と、を備えている。本実施形態では、エネルギー管理モジュール２と主装置３とでエネルギー管理装置４が構成されている。また、主装置３は、需要家施設Ｆ１での消費エネルギーの管理に関連するサービスを提供するサーバなどの外部装置５と通信が可能である。
【００１７】
主装置３は、需要家施設Ｆ１での消費エネルギーを管理するエネルギー管理機能とは異なる主機能を単体で実行可能である。本実施形態の主装置３は、例えば、液晶テレビのような薄型のテレビ受像機であり、入力された動画をディスプレイ装置に表示し、音声をスピーカから出力する映像表示機能を主機能として備えている。主装置３は、エネルギー管理モジュール２が接続されていない状態でも、主機能である映像表示機能を単体で実行可能である。
【００１８】
ここでいう「主機能」とは、主装置３が備えるハードウェア（主装置側機能部）を、本来の目的のために作動させることによって得られる機能である。主装置３がテレビ受像機である場合には、テレビ受像機が備えるディスプレイ装置、スピーカなどのハードウェアを、本来の目的のために作動させることで、映像を表示するという主機能が得られる。
【００１９】
主装置３は、主装置側制御部３１と、主装置側接続部３２と、主装置側通信部３３と、表示部３４と、入力部（ヒューマンインタフェース）３５と、を備える。
【００２０】
主装置側制御部３１は、例えば、ＣＰＵ（Central Processing Unit）とメモリとを有するマイクロコンピュータを備えている。ＣＰＵがメモリに格納されているプログラムを実行することによって、主装置側制御部３１の機能が実現される。ＣＰＵが実行するプログラムは、例えば、マイクロコンピュータのメモリにあらかじめ記憶されているが、インターネットなどの電気通信回線を通じて提供されてもよいし、メモリカードなどの記録媒体に記録されて提供されてもよい。
【００２１】
主装置側接続部３２は、エネルギー管理モジュール２と接続可能なインタフェースであり、例えばＵＳＢ（Universal Serial Bus）規格に準拠したコネクタを有している。
【００２２】
主装置側通信部３３は、例えば、３Ｇ、４Ｇ、ＬＴＥ（Long Term Evolution）などの移動体通信システムの通信規格に準拠した通信モジュールを有している。主装置側通信部３３は、移動体通信網を経由してインターネットに接続され、ネットワーク経由で外部装置５と通信を行う。なお、主装置側通信部３３は、例えばＩＥＥＥ８０２．１１などのＷＬＡＮ（Wireless Local Area Network）の規格に準拠した通信モジュールを有するものでもよい。この場合、主装置側通信部３３は、需要家施設Ｆ１内のＷＬＡＮ機能を有するブロードバンドルータを介してネットワークに接続されて、外部装置５と通信を行う。また、主装置側通信部３３は、例えばイーサネット（登録商標）規格に準拠した通信モジュールを有するものでもよい。この場合、主装置側通信部３３は、需要家施設Ｆ１内のブロードバンドルータを介してネットワークに接続されて、外部装置５と通信を行う。
【００２３】
表示部３４は、例えば液晶ディスプレイなどの薄型のディスプレイ装置を有している。表示部３４の表示動作は主装置側制御部３１によって制御される。なお、表示部３４は液晶ディスプレイを有するディスプレイ装置に限定されず、有機ＥＬ（Electro Luminescence）ディスプレイのような薄型のディスプレイ装置を有していてもよい。
【００２４】
入力部３５は、ユーザ（例えば、需要家施設Ｆ１の住人など）の操作を受け付けるための入力デバイスである。入力部３５は、主装置３の表面に操作可能な状態で設けられた操作ボタン、表示部３４が有するディスプレイ装置に設けられたタッチセンサ、などを含んでいる。なお、入力部３５は、操作ボタン及びタッチセンサに限定されず、ユーザの体の動きを検知するジェスチャーセンサを備え、ジェスチャーセンサで検知されたユーザの体の動きを、ユーザの入力として検知してもよい。また、入力部３５は、ユーザの発する音声を電気信号に変換するマイクと、隠れマルコフモデルによる音声認識を行う音声認識エンジンとを有し、ユーザの発した音声を入力として検知してもよい。また、入力部３５は、電気機器１２などを遠隔操作するためのコントローラ、スマートフォンのような携帯端末、などの端末と通信（無線通信又は有線通信）を行って、当該端末からの入力を受け付けるものでもよい。
【００２５】
エネルギー管理モジュール２は、単体では動作することができず、主装置３に接続された状態でエネルギー管理機能を実行可能になるように構成されている。
【００２６】
ここにおいて、エネルギー管理モジュール２の「エネルギー管理機能」には、需要家施設Ｆ１でのエネルギー資源の消費量と生成量との少なくとも一方に関するエネルギー情報を収集する情報収集機能が少なくとも含まれる。本実施形態では、エネルギー管理モジュール２のエネルギー管理機能は、需要家施設Ｆ１での瞬時のエネルギー消費量、所定期間のエネルギー消費量などをエネルギー情報として収集する情報収集機能を含む。情報収集機能は、監視対象の機器（照明器具、空調装置、冷蔵庫、電動シャッタなどの電気機器１２、及びスマートメータ１１）からエネルギー消費量として消費電力に関する電力情報（例えば瞬時の消費電力、又は所定期間の消費電力量）などを収集する機能である。情報収集機能によって収集された電力情報は、例えば主装置３を介して外部装置５に出力される。需要家施設Ｆ１に太陽光発電装置、燃料電池などのエネルギーを生成する装置が設置されている場合、情報収集機能は、需要家施設Ｆ１での瞬時のエネルギー生成量、所定期間のエネルギー生成量などをエネルギー情報として収集してもよい。
【００２７】
また、エネルギー管理モジュール２のエネルギー管理機能には、情報整理機能、及び外部指令制御機能が含まれてもよい。
【００２８】
情報整理機能は、情報収集機能によって収集された電力情報を整理する機能である。情報整理機能は、情報収集機能によって収集された電力情報を、例えば電気機器１２ごと、電気機器１２の種類ごと、電気機器１２の設置場所（部屋）ごと、又は期間ごとに整理して（データベース化して）、エネルギー管理モジュール２のメモリに記憶する。エネルギー管理機能は、例えば、情報整理機能によって整理された電力情報をグラフ化して主装置３の表示部３４に表示させることができる。ユーザは、表示部３４の表示内容から、需要家施設Ｆ１でのエネルギー資源の使用状況を視覚的に把握できる。外部指令制御機能は、例えば外部装置５から入力される制御指示に応じて、制御対象の電気機器１２の動作状態を制御する機能である。
【００２９】
また、エネルギー管理モジュール２のエネルギー管理機能には、情報分析機能、及び内部指令制御機能が含まれていてもよい。
【００３０】
情報分析機能は、情報収集機能によって収集された電力情報、又は情報整理機能によって整理（データベース化）された電力情報を分析する機能である。例えば、情報分析機能により、消費エネルギーが多い電気機器１２や消費エネルギーが少ない電気機器１２を求めたり、消費エネルギーが多い時間帯や少ない時間帯を求めたりすることができる。また、情報分析機能により、消費エネルギーを低減するための電気機器１２の使用方法などを分析することができる。エネルギー管理機能は、情報分析機能による分析結果を、例えば主装置３の表示部３４に表示させることができる。ユーザは、表示部３４の表示内容をもとに、情報分析機能による分析結果を把握することができる。
【００３１】
内部指令制御機能は、エネルギー管理装置４（エネルギー管理モジュール２及び主装置３）が外部装置５からの制御指示ではなく例えば情報分析機能の分析結果に基づいて制御対象の電気機器１２を制御する機能である。
【００３２】
エネルギー管理モジュール２は、モジュール側処理部２１と、モジュール側接続部２２と、モジュール側通信部２３と、表示部２４と、入力部２５とを備えている。
【００３３】
モジュール側処理部２１は、例えば、ＣＰＵとメモリとを有するマイクロコンピュータを備えている。ＣＰＵがメモリに格納されているプログラムを実行することによって、モジュール側処理部２１の機能が実現されている。本実施形態では、モジュール側処理部２１の演算機能により、情報収集機能を実行する情報収集部２１１と、情報整理機能を実行する情報整理部２１２と、外部指令制御機能を実行する外部指令制御部２１３とが実現されている。ここで、ＣＰＵが実行するプログラムは、例えば、マイクロコンピュータのメモリにあらかじめ記憶されているが、インターネットなどの電気通信回線を通じて提供されてもよいし、メモリカードなどの記録媒体に記録されて提供されてもよい。
【００３４】
モジュール側接続部２２は、主装置３の主装置側接続部３２に着脱可能な状態で接続される。モジュール側接続部２２は、ＵＳＢ規格に準拠したコネクタを有しており、主装置３の主装置側接続部３２に接続可能である。モジュール側接続部２２が主装置側接続部３２に接続されると、主装置３からエネルギー管理モジュール２に電力が供給されるので、エネルギー管理モジュール２は、主装置３から供給される電力で動作を開始する。
【００３５】
モジュール側通信部２３は、例えば、監視対象又は制御対象の機器と通信するための通信モジュールを有している。監視対象の機器は、例えば需要家施設Ｆ１に設置されたスマートメータ１１や電気機器１２である。なお、電気機器１２には、エネルギー管理モジュール２（エネルギー管理装置４）によって監視のみが可能な機器（監視対象の機器）と、エネルギー管理モジュール２によって監視と制御の両方が可能な機器（監視対象及び制御対象の機器）とがある。モジュール側通信部２３は、例えば、ＥＣＨＯＮＥＴ  Ｌｉｔｅ（登録商標）の規格に準拠した通信モジュールを有しており、スマートメータ１１、電気機器１２などの機器との間で有線又は無線で通信を行う。なお、モジュール側通信部２３は、ＥＣＨＯＮＥＴ  Ｌｉｔｅ（登録商標）の規格に準拠した通信モジュールを有するものに限定されず、Ｗｉ−ＳＵＮ（登録商標）（Wireless Smart Utility Network）規格に準拠した通信モジュールを有するものでもよい。また、モジュール側通信部２３は、ＷＬＡＮの規格に準拠した通信モジュール、イーサネット（登録商標）の規格に準拠した通信モジュール、ＵＳＢ規格に準拠したシリアル通信を行う通信モジュールのうちのいずれかを有するものでもよい。
【００３６】
表示部２４は、例えば、エネルギー管理モジュール２の動作状態などを表示するために用いられる。表示部２４は１又は複数の発光ダイオードを有しており、１又は複数の発光ダイオードが点灯、点滅、又は消灯することで、エネルギー管理モジュール２の動作状態などを表示する。
【００３７】
入力部２５は、例えば、１ビット又は複数ビットのディップスイッチを備えている。入力部２５が備えるディップスイッチの各ビットの値をユーザが設定することによって、エネルギー管理モジュール２の動作条件などが設定される。なお、入力部２５はディップスイッチを備えるものに限定されず、１又は複数のタクトスイッチを備えていてもよい。また、入力部２５は、電気機器１２などを遠隔操作するためのコントローラ、スマートフォンのような携帯端末、などの端末と通信（無線通信又は有線通信）を行って、当該端末からの入力を受け付けるものでもよい。
【００３８】
外部装置５は、例えば、需要家施設Ｆ１でのエネルギー管理機能に関するサービスを提供するサーバであり、処理部５１と、通信部５２とを備えている。なお、外部装置５は、物理サーバに限定されず、クラウド（クラウドコンピューティング）によって実現されてもよい。また、外部装置５は、サーバに限らず、需要家施設Ｆ１において使用されるスマートフォン、タブレット型のコンピュータなどの端末装置でもよい。
【００３９】
処理部５１は、例えば、ＣＰＵとメモリとを有するマイクロコンピュータを備えている。ＣＰＵがメモリに格納されているプログラムを実行することによって、処理部５１の機能が実現される。ＣＰＵが実行するプログラムは、例えば、マイクロコンピュータのメモリにあらかじめ記憶されているが、インターネットなどの電気通信回線を通じて提供されてもよいし、メモリカードなどの記録媒体に記録されて提供されてもよい。
【００４０】
通信部５２は、例えばイーサネット（登録商標）規格に準拠した通信モジュールを有しており、ネットワークを経由して主装置３の主装置側通信部３３との間で通信を行う。
【００４１】
外部装置５が提供するサービスは、主装置３又はエネルギー管理装置４に提供されてもよいし、主装置３及びエネルギー管理装置４とは別のスマートフォンのような携帯端末などの端末に提供されてもよい。
【００４２】
（２）動作説明
本実施形態に係るエネルギー管理モジュール２を備えるエネルギー管理システム１の動作について以下に説明する。
【００４３】
主装置３にエネルギー管理モジュール２が接続されていない状態では、主装置３は、主機能である映像表示機能を単独で実行する。すなわち、主装置３の主装置側制御部３１は、ユーザが入力部３５を用いて入力した操作内容に従って、例えばユーザが指定した動画を表示部３４に表示する。
【００４４】
エネルギー管理モジュール２は、単独ではエネルギー管理機能を実行することができない。需要家施設Ｆ１のユーザがエネルギー管理システム１のエネルギー管理機能を利用したい場合、ユーザは、エネルギー管理モジュール２を接続可能な主装置側接続部３２を有する主装置３に、エネルギー管理モジュール２を接続する。
【００４５】
エネルギー管理モジュール２のモジュール側接続部２２が主装置３の主装置側接続部３２に接続されると、主装置３からエネルギー管理モジュール２に電力が供給され、エネルギー管理モジュール２のモジュール側処理部２１が起動する。モジュール側処理部２１が有するマイクロコンピュータのＣＰＵがメモリに記憶されたプログラムを実行することによって、モジュール側処理部２１に、情報収集部２１１、情報整理部２１２、外部指令制御部２１３などの機能が実現される。モジュール側処理部２１が起動すると、モジュール側処理部２１は主装置３と共にエネルギー管理機能を実行する。すなわち、エネルギー管理モジュール２と主装置３とで構成されるエネルギー管理装置４が、エネルギー管理機能を実行する。
【００４６】
モジュール側処理部２１の情報収集部２１１は、需要家施設Ｆ１にある監視対象の機器（スマートメータ１１、電気機器１２など）から消費電力などの電力情報を定期的に収集する。情報収集部２１１は、モジュール側通信部２３を制御して監視対象の機器と定期的（例えば数十秒から数分の時間間隔）に通信を行い、監視対象の機器から電力情報を収集する。本実施形態では監視対象の機器がスマートメータ１１及び電気機器１２であり、情報収集部２１１はスマートメータ１１から消費電力（瞬時値）、又は累積の消費電力量などの電力情報を収集し、電気機器１２から現在の消費電力などの電力情報を収集する。
【００４７】
モジュール側処理部２１の情報整理部２１２は、情報収集部２１１で収集された電力情報を整理する情報整理機能を実行する。情報整理部２１２は、情報収集部２１１が監視対象の機器から収集した電力情報を、監視対象の機器ごと、監視対象の機器の属性（機器の種類又は設置場所など）ごと、期間ごとにそれぞれ整理したデータベースを作成し、作成したデータベースをメモリに記憶する。
【００４８】
モジュール側処理部２１は、情報収集部２１１によって収集された電力情報、又は情報整理部２１２によって整理された電力情報を、一定期間ごと（例えば数分ごと、数十分ごと、数時間ごと、又は１日ごと）に外部装置５に送信する。つまり、モジュール側処理部２１は、情報収集部２１１によって収集された電力情報、又は情報整理部２１２によって整理された電力情報を、モジュール側接続部２２及び主装置側接続部３２を介して主装置側制御部３１に出力する。主装置側制御部３１は、モジュール側処理部２１から電力情報が入力されると、入力された電力情報を主装置側通信部３３から外部装置５に送信する。これにより、外部装置５は、エネルギー管理装置４のエネルギー管理機能によって収集又は整理された電力情報を一定期間ごとに収集でき、収集した電力情報をメモリに記憶する。
【００４９】
図１では、外部装置５に１つの需要家施設Ｆ１の主装置３しか接続されていないが、外部装置５には複数の需要家施設Ｆ１の主装置３が接続されてもよい。この場合、外部装置５の処理部５１は、複数の需要家施設Ｆ１のエネルギー管理機能で収集又は整理された電力情報を収集し、需要家施設Ｆ１ごとに収集した電力情報をメモリに記憶することができる。
【００５０】
また、需要家施設Ｆ１のユーザが、当該需要家施設Ｆ１でのエネルギー資源の使用状況を確認したい場合、ユーザは、主装置３の入力部３５を用いて、主装置３の表示部３４に所望の情報を表示させるための表示要求を入力する。このとき、入力部３５から主装置側制御部３１に表示要求信号が出力され、主装置側制御部３１は、表示要求信号に基づいて、主装置側接続部３２とモジュール側接続部２２とを介してモジュール側処理部２１に表示要求信号を出力する。モジュール側処理部２１は、主装置側制御部３１から表示要求信号が入力されると、表示要求信号によって要求された情報をメモリから読み出し、モジュール側接続部２２と主装置側接続部３２とを介して主装置側制御部３１に出力する。主装置側制御部３１は、モジュール側処理部２１から情報を受け取ると、この情報に基づく表示内容を表示部３４に表示させる。
【００５１】
例えば、ユーザが、入力部３５を用いて、需要家施設Ｆ１全体での今月の消費電力量を表示させる表示要求を入力すると、主装置側制御部３１は、モジュール側処理部２１に需要家施設Ｆ１全体での今月の消費電力量の表示要求信号を出力する。モジュール側処理部２１は、表示要求信号に基づいて、需要家施設Ｆ１全体での今月の消費電力量の情報をメモリから読み出し、主装置側制御部３１に出力する。主装置側制御部３１は、モジュール側処理部２１から情報を受け取ると、この情報に基づく表示内容を表示部３４に表示させる。したがって、需要家施設Ｆ１のユーザは、表示部３４の表示内容に基づいて、需要家施設Ｆ１でのエネルギー資源の使用状況を視覚的に確認することができる。
【００５２】
また、需要家施設Ｆ１のエネルギー管理モジュール２で収集又は整理された電力情報は主装置３から外部装置５に送信されている。外部装置５の処理部５１は、需要家施設Ｆ１のエネルギー管理装置４（エネルギー管理モジュール２及び主装置３を含む）から送信された電力情報をもとに、需要家施設Ｆ１での電力の使用状況を確認することができる。ここで、外部装置５の処理部５１には需要家施設Ｆ１での単位時間あたりの使用電力量の上限値が設定されている。外部装置５の処理部５１は、需要家施設Ｆ１での単位時間あたりの使用電力量が上限値を超えると、通信部５２から需要家施設Ｆ１の主装置３に使用電力量を減少させる抑制命令を送信する。主装置３の主装置側通信部３３が外部装置５から抑制命令を受信すると、主装置側制御部３１はこの抑制命令を主装置側接続部３２及びモジュール側接続部２２を介してモジュール側処理部２１に出力する。モジュール側処理部２１に抑制命令が入力されると、モジュール側処理部２１の外部指令制御部２１３は、抑制命令に基づいて現在動作中の電気機器１２のうち１以上の電気機器１２に対してモジュール側通信部２３から停止命令を送信する。電気機器１２は、モジュール側通信部２３からの停止命令を受信すると、動作を停止するので、需要家施設Ｆ１での使用電力量を低減することができる。なお、モジュール側処理部２１の外部指令制御部２１３は、外部装置５からの抑制命令に基づいて１以上の電気機器１２にモジュール側通信部２３から電力抑制命令を送信してもよい。電気機器１２は、モジュール側通信部２３からの電力抑制命令を受信すると、消費電力を低減するように動作を抑制するので、需要家施設Ｆ１での使用電力量を低減することができる。
【００５３】
なお、外部装置５が、需要家施設Ｆ１のエネルギー管理装置４から受信した電力情報を他の装置（例えば、別のサーバ装置、又は、スマートフォンなどの携帯端末）に送信し、他の装置で電力情報を確認できるようにしてもよい。また、外部装置５が、需要家施設Ｆ１のエネルギー管理装置４から受信した電力情報を他の装置に送信し、外部装置５と他の装置の両方で電力情報を確認できるようにしてもよい。
【００５４】
以上のように、本実施形態のエネルギー管理モジュール２は、単体では動作することができないが、主装置３に接続された状態でエネルギー管理機能を実行可能なように構成されている。ここで、エネルギー管理モジュール２と、このエネルギー管理モジュール２が接続された主装置３とで、エネルギー管理装置４が構成され、このエネルギー管理装置４によってエネルギー管理機能が実現される。なお、エネルギー管理モジュール２は、工場出荷後に主装置３に接続されてもよいし、主装置３に予め取り付けられた状態で工場出荷されるものであってもよい。
【００５５】
主装置３は、単独、つまりエネルギー管理モジュール２が接続されていない状態では、エネルギー管理機能とは異なる主機能を提供する。主装置３にエネルギー管理モジュール２が接続されると、主装置３は、主機能に加えて、エネルギー管理モジュール２と一緒にエネルギー管理機能を提供可能になる。本実施形態では、主装置３が備える主装置側通信部３３、表示部３４、入力部３５が主機能とエネルギー管理機能との両方に使用されている。つまり、主装置３が元々備えている複数の主装置側機能部のうち主装置側通信部３３、表示部３４、入力部３５といった主装置側機能部を、エネルギー管理機能の通信部、表示部、入力部として利用している。したがって、エネルギー管理モジュール２に通信部、表示部、入力部を備える必要がない、という利点がある。なお、主装置３が備えている主装置側機能部をエネルギー管理機能に利用することは必須ではなく、主装置３にエネルギー管理モジュール２が接続されることによって、主装置３からエネルギー管理モジュール２に電力が供給されるのみでもよい。この場合、エネルギー管理モジュール２は、主装置３に接続された状態で、主装置３から電力の供給を受けて動作し、エネルギー管理機能を実行可能な状態となる。
【００５６】
また、本実施形態のエネルギー管理モジュール２は、外部装置５と連携してエネルギー管理機能を実行している。外部装置５は、需要家施設Ｆ１のエネルギー管理装置４から取得した情報をもとに、需要家施設Ｆ１での消費電力を抑制する抑制命令を出力することができる。また、外部装置５は、需要家施設Ｆ１のエネルギー管理装置４から取得した情報を分析することができ、分析結果を需要家施設Ｆ１のエネルギー管理装置４に出力してもよい。このように、エネルギー管理モジュール２が、外部装置５と連携してエネルギー管理機能を実行することで、より高機能のエネルギー管理機能を提供できる。
【００５７】
（３）変形例
以下に、上記実施形態の変形例に係るエネルギー管理モジュール、エネルギー管理装置、及びエネルギー管理システムを列記する。なお、以下に説明する変形例の各構成は、上記実施形態で説明した各構成と適宜組み合わせて適用可能である。
【００５８】
（３．１）変形例１
上記実施形態の変形例１を図２に基づいて説明する。変形例１のエネルギー管理モジュール２Ａでは、モジュール側処理部２１Ａが変更部２１４の機能を更に備えている。以下、上記実施形態のエネルギー管理システム１と同様の構成については、共通の符号を付して適宜説明を省略する。
【００５９】
変更部２１４は、エネルギー管理モジュール２Ａが有するモジュール側機能部と、エネルギー管理モジュール２Ａが接続される主装置３の主装置側機能部とが同種類の場合に、どちらの機能部をエネルギー管理機能に利用するかを選択する。
【００６０】
エネルギー管理モジュール２Ａの接続部２２が主装置３の接続部３２に接続されると、主装置３からエネルギー管理モジュール２Ａに電力が供給されて、エネルギー管理モジュール２Ａのモジュール側処理部２１Ａが動作を開始する。モジュール側処理部２１Ａが有するマイクロコンピュータのＣＰＵがメモリに記憶されたプログラムを実行することによって、モジュール側処理部２１Ａに、情報収集部２１１、情報整理部２１２、外部指令制御部２１３、変更部２１４などの機能が実現される。
【００６１】
図２では需要家施設Ｆ１に１つの主装置３しか存在していないが、需要家施設Ｆ１にはエネルギー管理モジュール２Ａを接続可能な複数の主装置３があり、主装置３の種類によって、エネルギー管理機能に利用可能な主装置３の主装置側機能部が異なる場合がある。
【００６２】
そこで、変更部２１４は、エネルギー管理モジュール２Ａに接続された主装置３の主装置側制御部３１と通信を行い、主装置側制御部３１から当該主装置３が備える１以上の主装置側機能部の情報を取得する。変更部２１４は、エネルギー管理モジュール２Ａが備えるモジュール側機能部の情報を保持しており、モジュール側機能部の情報と、主装置側機能部の情報とを比較する。そして、エネルギー管理モジュール２Ａと主装置３とが同種類の機能部を有している場合、変更部２１４は、エネルギー管理モジュール２Ａのモジュール側機能部と主装置３の主装置側機能部とからエネルギー管理機能に利用する機能部を選択する。
【００６３】
変形例１では、エネルギー管理モジュール２Ａと主装置３とが、通信のための機能部（モジュール側通信部２３、主装置側通信部３３）と、表示のための機能部（表示部２４，３４）と、入力のための機能部（入力部２５，３５）とを重複して備えている。変形例１では、変更部２１４は、例えば、エネルギー管理機能に必要な機能部をエネルギー管理モジュール２Ａと主装置３とが共に備えている場合、主装置３が備える機能部をエネルギー管理機能に優先的に利用するように決定する。したがって、変形例１では、変更部２１４は、表示のための機能部として主装置３の表示部３４を使用し、入力のための機能部として主装置３の入力部３５を使用するように決定する。また、変更部２１４は、需要家施設Ｆ１の外部にある外部装置５と通信する機能部としては主装置３の主装置側通信部３３を選択し、需要家施設Ｆ１にある機器と通信する機能部としてはエネルギー管理モジュール２Ａのモジュール側通信部２３を選択する。
【００６４】
変更部２１４は、主装置３が備える主装置側機能部をエネルギー管理機能に利用すると選択すると、その選択結果を主装置側制御部３１に出力しており、主装置側制御部３１は、変更部２１４から入力された選択結果に基づいて、エネルギー管理機能を実行する。
【００６５】
このように、エネルギー管理モジュール２Ａと主装置３とが同種類の機能部を重複して備える場合、変更部２１４が、エネルギー管理モジュール２Ａのモジュール側機能部と主装置３の主装置側機能部とのいずれかを選択してエネルギー管理機能に利用している。
【００６６】
エネルギー管理モジュール２Ａは、エネルギー管理モジュール２Ａを接続するための接続部（主装置側接続部３２）を備えた主装置３であれば、様々な種類の主装置３に接続可能である。したがって、エネルギー管理モジュール２Ａが接続された主装置３が備える主装置側機能部は、接続相手の主装置３によって異なる場合がある。変形例１では、変更部２１４が、接続相手の主装置３が備える主装置側機能部の情報と、エネルギー管理モジュール２Ａが備えるモジュール側機能部の情報とをもとに、エネルギー管理モジュール２Ａ及び主装置３の機能部からエネルギー管理機能に利用する機能部を選択する。したがって、エネルギー管理モジュール２Ａの変更部２１４は、接続相手の主装置３が備える主装置側機能部に応じて、エネルギー管理機能に利用する機能部を選択することができる。つまり、変更部２１４は、エネルギー管理モジュール２Ａが接続される主装置３が備える１以上の主装置側機能部がエネルギー管理機能に利用できるか否かを判断し、判断結果に応じてエネルギー管理機能を実行する動作を変更している。
【００６７】
なお、変更部２１４は、入力部２５又は主装置３の入力部３５などからの入力を受け付け、入力された情報に基づいてエネルギー管理モジュール２Ａのモジュール側機能部と主装置３の主装置側機能部とのいずれかを選択してエネルギー管理機能に利用してもよい。
【００６８】
変形例１ではエネルギー管理モジュール２Ａが変更部２１４を備えているが、主装置３の主装置側制御部３１が変更部の機能を備えてもよい。この場合、主装置３にエネルギー管理モジュール２Ａが接続されると、主装置３の変更部が、主装置３に接続されたエネルギー管理モジュール２Ａのモジュール側処理部２１から、当該エネルギー管理モジュール２Ａが備えるモジュール側機能部の情報を取得する。そして、主装置３の変更部が、当該主装置３が備える主装置側機能部の情報と、エネルギー管理モジュール２Ａが備えるモジュール側機能部の情報とに基づいて、主装置側機能部及びモジュール側機能部からエネルギー管理機能に利用する機能部を選択する。
【００６９】
なお、変形例１の構成は、上記実施形態及び他の変形例で説明する各構成と適宜組み合わせて適用可能である。
【００７０】
（３．２）変形例２
上記実施形態の変形例２を図３に基づいて説明する。変形例２のエネルギー管理モジュール２Ｂでは、モジュール側処理部２１Ｂが認証部２１５の機能を更に備えている。以下、上記実施形態及び変形例１のエネルギー管理システム１と同様の構成については、共通の符号を付して適宜説明を省略する。
【００７１】
図３では需要家施設Ｆ１に１つの主装置３しか存在していないが、需要家施設Ｆ１にはエネルギー管理モジュール２Ｂと接続可能な複数の主装置３があり、複数の主装置３には個別の識別情報（例えばＭＡＣアドレスなど）が割り当てられている。
【００７２】
エネルギー管理モジュール２Ｂの認証部２１５には、需要家施設Ｆ１にある複数の主装置３のうち、エネルギー管理モジュール２Ｂへの接続を許可する主装置３の識別情報が認証情報として登録されている。
【００７３】
エネルギー管理モジュール２Ｂの接続部２２が主装置３の接続部３２に接続されると、主装置３からエネルギー管理モジュール２Ｂに電力が供給されて、エネルギー管理モジュール２Ｂのモジュール側処理部２１Ｂが動作を開始する。モジュール側処理部２１Ｂが有するマイクロコンピュータのＣＰＵがメモリに記憶されたプログラムを実行することによって、モジュール側処理部２１Ｂに、情報収集部２１１、情報整理部２１２、外部指令制御部２１３、認証部２１５などの機能が実現される。
【００７４】
モジュール側処理部２１Ｂが起動すると、認証部２１５は、エネルギー管理モジュール２Ｂに接続された主装置３の認証を行う。認証部２１５は、モジュール側接続部２２及び主装置側接続部３２を介して主装置側制御部３１から当該主装置３の識別情報を取得し、主装置３の識別情報と認証情報とを照合することによって主装置３の認証処理を行う。
【００７５】
認証部２１５が主装置３の認証に成功すると、つまり主装置３の識別情報が認証情報に一致すると、モジュール側処理部２１は、主装置３と共にエネルギー管理機能を実行する。
【００７６】
認証部２１５が主装置３の認証に失敗すると、つまり主装置３の識別情報が認証情報に一致しなければ、モジュール側処理部２１は、認証が成功したときに実行されるエネルギー管理機能に比べて、一部の機能が制限された状態でエネルギー管理機能を実行する。
【００７７】
例えば、モジュール側処理部２１は、情報収集部２１１及び情報整理部２１２の動作は許可するが、外部指令制御部２１３の機能は制限する。また、モジュール側処理部２１は、情報収集部２１１が収集した電力情報、及び情報整理部２１２が整理した情報を主装置３に出力する機能を停止しており、情報収集部２１１が収集した電力情報、及び情報整理部２１２が整理した情報は主装置３に出力されない。
【００７８】
この場合、エネルギー管理モジュール２Ｂは、需要家施設Ｆ１にある監視対象の機器から電力情報を収集し、整理するエネルギー管理機能を実行するので、エネルギー管理モジュール２Ｂにおいて監視対象の機器の電力情報を収集、整理することができる。エネルギー管理モジュール２Ｂは、認証に失敗した主装置３に対しては、監視対象の機器から収集又は整理した情報を出力しないので、情報のセキュリティ性能が向上する。また、エネルギー管理モジュール２Ｂは、外部指令制御部２１３の機能を停止するので、認証に失敗した主装置３からの制御指示によって、制御対象の機器（電気機器１２）が制御されるのを防止できる。
【００７９】
変形例２ではエネルギー管理モジュール２Ｂが認証部２１５を備えているが、主装置３の主装置側制御部３１が認証部の機能を備えてもよい。この場合、主装置３の認証部には、主装置３への接続を許可するエネルギー管理モジュール２Ｂの識別情報（例えばＭＡＣアドレス）が認証情報として登録される。
【００８０】
主装置３にエネルギー管理モジュール２Ｂが接続されると、主装置３の認証部が、主装置３に接続されたエネルギー管理モジュール２Ｂのモジュール側処理部２１から、当該エネルギー管理モジュール２Ｂの識別情報を取得する。そして、主装置３の認証部が、エネルギー管理モジュール２Ｂから取得した識別情報と認証情報とを照合することによって、エネルギー管理モジュール２Ｂの認証処理を行う。
【００８１】
主装置３の認証部がエネルギー管理モジュール２Ｂの認証に成功すると、主装置側制御部３１は、エネルギー管理モジュール２Ｂと共にエネルギー管理機能を実行する。
【００８２】
主装置３の認証部がエネルギー管理モジュール２Ｂの認証に失敗すると、主装置側制御部３１は、認証が成功したときに実行されるエネルギー管理機能に比べて一部の機能が制限された状態で、エネルギー管理モジュール２Ｂと共にエネルギー管理機能を実行する。例えば、主装置３は、需要家施設Ｆ１にある監視対象の機器から電力情報を収集、整理するエネルギー管理機能はエネルギー管理モジュール２Ｂに行わせるが、監視対象の機器から収集又は整理した情報を外部装置５に出力する機能は停止させる。これにより、エネルギー管理装置４Ｂは、外部装置５との通信を停止した状態で、需要家施設Ｆ１でのエネルギー管理動作を実行することができる。
【００８３】
なお、変形例２の構成は、上記実施形態及び他の変形例で説明する各構成と適宜組み合わせて適用可能である。
【００８４】
（３．３）変形例３
上記実施形態及び変形例１、２では、エネルギー変換装置４，４Ａ，４Ｂが主装置３の主装置側通信部３３を用いて外部装置５と通信しているが、変形例３のエネルギー管理装置４Ｃでは、図４に示すように、通信モジュール６を経由して外部装置５と通信する。以下、上記実施形態及び変形例１，２のエネルギー管理システム１と同様の構成については、共通の符号を付して適宜説明を省略する。
【００８５】
通信モジュール６は、第１通信部６１と第２通信部６２とを備える。
【００８６】
第１通信部６１は、エネルギー管理モジュール２のモジュール側通信部２３と同じ通信規格の通信モジュールを有しており、モジュール側通信部２３との間で通信（有線通信又は無線通信）を行う。
【００８７】
第２通信部６２は、例えば、３Ｇ、４Ｇ、ＬＴＥなどの移動体通信システムの通信規格に準拠した通信モジュールを有している。第２通信部６２は、移動体通信網を経由してインターネットに接続され、ネットワーク経由で外部装置５と通信を行う。なお、第２通信部６２は、例えばＩＥＥＥ８０２．１１などのＷＬＡＮの規格に準拠した通信モジュールを有するものでもよい。この場合、第２通信部６２は、需要家施設Ｆ１内の無線ＬＡＮ機能を有するブロードバンドルータを介してネットワークに接続されて、外部装置５と通信を行う。また、第２通信部６２は、例えばイーサネット（登録商標）規格に準拠した通信モジュールを有するものでもよい。この場合、第２通信部６２は、需要家施設Ｆ１内のブロードバンドルータを介してネットワークに接続されて、外部装置５と通信を行う。
【００８８】
なお、通信モジュール６は、第１通信部６１と第２通信部６２とを別々に備えるものに限定されず、第１通信部６１及び第２通信部６２の一方が他方の通信機能を兼用してもよい。つまり、通信モジュール６は、第１通信部６１及び第２通信部６２として機能する１つの通信モジュールで構成されてもよい。
【００８９】
変形例３では、モジュール側処理部２１は、情報収集部２１１で収集した情報、又は情報整理部２１２で整理した情報を、通信モジュール６を介して外部装置５に出力する。モジュール側処理部２１は、外部装置５宛ての情報をモジュール側通信部２３から通信モジュール６に送信する。エネルギー管理モジュール２Ｃのモジュール側通信部２３から送信された情報が通信モジュール６の第１通信部６１によって受信されると、通信モジュール６の第２通信部６２が、第１通信部６１によって受信された情報を外部装置５に送信する。これにより、エネルギー管理モジュール２Ｃから送信された情報は、通信モジュール６を経由して、外部装置５に送信される。
【００９０】
また、外部装置５がエネルギー管理モジュール２Ｃに制御指示などの情報を送信する場合、外部装置５の処理部５１は、エネルギー管理モジュール２Ｃ宛ての情報を通信部５２から通信モジュール６に送信する。外部装置５の通信部５２から送信された情報が通信モジュール６の第２通信部６２によって受信されると、通信モジュール６の第１通信部６１が、第２通信部６２によって受信された情報をエネルギー管理モジュール２Ｃへ送信する。これにより、外部装置５から送信された情報は、通信モジュール６を経由して、エネルギー管理モジュール２Ｃに送信される。
【００９１】
このように、変形例３のエネルギー管理システム１では、エネルギー管理モジュール２Ｃと外部装置５とが通信モジュール６を介して通信を行うので、主装置３は、外部装置５と通信する通信機能を備える必要がない。したがって、外部装置５と通信する通信機能を備えていない主装置にもエネルギー管理モジュール２Ｃを接続して、エネルギー管理システム１を実現することができる。
【００９２】
なお、エネルギー管理モジュール２Ｃと通信モジュール６とは別々の装置として構成されているが、エネルギー管理モジュール２Ｃと通信モジュール６とが１つの装置として構成されてもよい。つまり、エネルギー管理モジュール２Ｃの機能と通信モジュール６の機能とが１つの筐体に収納されてもよく、エネルギー管理モジュール２Ｃが外部装置５と通信する通信機能を備えていればよい。
【００９３】
（３．４）変形例４
上記実施形態及び変形例１〜３では、エネルギー管理モジュール２，２Ａ，２Ｂ，２Ｃが、モジュール側処理部２１、モジュール側通信部２３、表示部２４、入力部２５などのモジュール側機能部を備えているが、これらのハードウェアを備えていなくてもよい。
【００９４】
図５に示すように、エネルギー管理モジュール２Ｄは、モジュール側接続部２２と、エネルギー管理機能を実現するためのプログラムを記憶したメモリ２６とを備えていてもよい。エネルギー管理モジュール２Ｄは、主装置３の主装置側接続部３２に接続されるＵＳＢメモリのような外部記憶装置である。
【００９５】
メモリ２６には、主装置３の主装置側制御部３１が備えるＣＰＵ（コンピュータ）によって実行されるプログラムが記憶されている。
【００９６】
また、主装置３の主装置側通信部３３Ａは、外部装置５と通信する通信機能に加えて、需要家施設Ｆ１にある監視対象又は制御対象の機器と通信する通信機能を備えている。
【００９７】
エネルギー管理モジュール２Ｄのモジュール側接続部２２が主装置３の主装置側接続部３２に接続されると、主装置側制御部３１が、メモリ２６に記憶されたプログラムを実行することによって、主装置側制御部３１がエネルギー管理機能を実行する。
【００９８】
図６は、主装置側制御部３１がエネルギー管理機能を実行する場合の処理を示すフローチャートである。主装置側制御部３１は、主装置側通信部３３Ａを制御して監視対象の機器から電力情報を収集する処理を行う（Ｓ１）。主装置側制御部３１は、監視対象の機器から収集した電力情報を整理する処理を行い（Ｓ２）、監視対象の機器から収集した電力情報と、この電力情報を整理した結果を主装置３のメモリに記憶する。そして、主装置側制御部３１は、監視対象の機器から収集した電力情報、又はこの電力情報を整理した情報を、一定期間ごとに主装置側通信部３３Ａから外部装置５に送信する（Ｓ３）。
【００９９】
また、ユーザが主装置３の入力部３５を用いて所望の情報（エネルギー資源の使用状況に関する情報）の表示要求を入力すると、主装置側制御部３１は、表示要求に応じた情報を表示部３４に表示する。ユーザは表示部３４の表示内容をもとに需要家施設Ｆ１でのエネルギー資源の使用状況を視覚的に把握できる。
【０１００】
このように、外部メモリであるエネルギー管理モジュール２Ｄが主装置３に接続されると、主装置３の主装置側制御部３１がエネルギー管理モジュール２Ｄに記憶されたプログラムを実行することで、エネルギー管理機能が実現される。
【０１０１】
なお、エネルギー管理機能を実現するためのプログラムは、主装置３のメモリにあらかじめ記憶されていてもよいし、インターネットなどの電気通信回線を通じて提供されてもよい。
【０１０２】
（３．５）その他の変形例
上記実施形態及び変形例１〜４では、需要家施設Ｆ１が戸建て住宅である場合を説明したが、需要家施設Ｆ１は集合住宅の住戸でもよいし、オフィスビルや商業ビルのテナントであってもよい。
【０１０３】
上記実施形態及び変形例１〜４において、エネルギー管理モジュール２，２Ａ，２Ｂ，２Ｃ，２Ｄが、プロトコル変換を行うプロトコル変換部を備えていてもよい。例えば、エネルギー管理モジュール２，２Ａ，２Ｂ，２Ｃ，２Ｄのプロトコル変換部は、外部から入力される制御データを、電気機器１２との通信用のプロトコル（例えばＥＣＨＯＮＥＴ  Ｌｉｔｅ（登録商標）などのプロトコル）に変換する。エネルギー管理モジュール２，２Ａ，２Ｂ，２Ｃ，２Ｄの外部指令制御部２１３は、プロトコル変換後の制御データをモジュール側通信部２３から制御対象の電気機器１２に送信させることで、制御対象の電気機器１２を制御することができる。なお、制御データのプロトコルを変換する処理は、主装置３の主装置側処理部３１で行ってもよい。
【０１０４】
上記実施形態及び変形例１〜４において、主装置３がテレビ受像機である場合を説明したが、主装置３は、エネルギー管理機能とは異なる主機能を単体で実行可能な機器であればよい。例えば、主装置３は、太陽光発電装置、蓄電池、燃料電池などの複数の電源装置からの入力電力を制御する電力制御装置であってもよい。このような電力制御装置は、例えば、電源装置から入力される直流電圧を交流電圧に変換するインバータ回路などを収納する本体と、本体に収納されたインバータ回路などの動作を遠隔から制御するリモコンとを備えている。このような電力制御装置のリモコンに、エネルギー管理モジュール２，２Ａ，２Ｂ，２Ｃ，２Ｄが接続されるか、又は組み込まれることで、エネルギー管理装置４が実現される。
【０１０５】
また、主装置３は、需要家施設Ｆ１に設置された通話端末（インターホン子機）を介して通話を行う内線通話機能を単体で実行可能なインターホン親機でもよい。主装置３がインターホン親機である場合には、インターホン親機が備えるモニタ、スピーカ、マイクなどのハードウェアを、本来の目的のために作動させることで、通話端末との内線通話機能という主機能が得られる。また、主装置３はディスプレイ装置付きの冷蔵庫でもよい。この場合、冷蔵庫が備えるディスプレイ装置などのハードウェアを、本来の目的のために作動させることで、収納している食材の表示、レシピの提示といった主機能が得られる。また、主装置３は、インストールされたアプリケーションソフトを実行する機能を単体で実行可能な汎用のコンピュータ装置（タブレット型のコンピュータを含む）でもよい。また、主装置３は、移動体通信網を介して通信（音声通信及びデータ通信）を行う通信機能を単体で実行可能なスマートフォンでもよい。
【０１０６】
上記実施形態及び変形例１〜３において、主装置３の主装置側制御部３１が、主装置３に接続されたエネルギー管理モジュール２が備えるモジュール側通信部２３、表示部２４などのモジュール側機能部の動作を制御してもよい。これにより、エネルギー管理モジュール２が主装置３に接続された状態では、主装置３の主装置側制御部３１が、エネルギー管理モジュール２が備えるモジュール側機能部と、主装置３が備える主装置側機能部とを一元的に制御できる。したがって、主装置３の主装置側制御部３１に、主機能を実行する機能と、モジュール側機能部を制御する機能とを持たせることができる。
【０１０７】
（４）まとめ
以上説明したように、第１の態様のエネルギー管理モジュール（２，２Ａ，２Ｂ，２Ｃ）は、主装置（３）に接続するための接続部（２２）と、処理部（２１）とを備えている。主装置（３）は、需要家施設（Ｆ１）でのエネルギーの消費と生成との少なくとも一方を管理するエネルギー管理機能とは異なる主機能を単体で実行可能である。処理部（２１）は、接続部（２２）により主装置（３）に接続された状態でエネルギー管理機能を実行する。
【０１０８】
この構成によれば、エネルギー管理モジュール（２，２Ａ，２Ｂ，２Ｃ）の接続部（２２）が主装置（３）に接続された状態で処理部（２１）がエネルギー管理機能を実行するので、単体では主機能を実行する主装置（３）にエネルギー管理機能を付加できる。したがって、エネルギー管理機能を実行するための専用の装置が不要になる、という利点がある。
【０１０９】
第２の態様のエネルギー管理モジュール（２，２Ａ，２Ｂ）は、第１の態様において、主装置（３）が備える主装置側通信部３３と通信可能な外部装置（５）と、主装置（３）を介して通信を行う。
【０１１０】
この構成によれば、エネルギー管理モジュール（２，２Ａ，２Ｂ）は、主装置（３）が備える主装置側通信部（３３）を用いて外部装置（５）と通信を行うことができる。したがって、エネルギー管理モジュール（２，２Ａ，２Ｂ）は、外部装置（５）と通信を行うための通信機能を備える必要がない。
【０１１１】
第３の態様のエネルギー管理モジュール（２Ｃ）は、第１の態様において、外部装置（５）と通信可能な通信モジュール（６）を介して、外部装置（５）と通信を行う。
【０１１２】
この構成によれば、エネルギー管理モジュール（２Ｃ）は、通信モジュール（６）を介して外部装置（５）と通信を行うことができる。したがって、主装置（３）が、外部装置（５）と通信する通信機能を備える必要がない。したがって、外部装置（５）と通信する通信機能を備えていない主装置（３）にもエネルギー管理モジュール（２Ｃ）を接続して、エネルギー管理システム（１）を実現することができる。
【０１１３】
第４の態様のエネルギー管理モジュール（２，２Ａ，２Ｂ，２Ｃ）では、第２又は第３の態様において、処理部（２１）が、外部装置（５）と連携してエネルギー管理機能を実行する。
【０１１４】
この構成によれば、処理部（２１）は、外部装置（５）と連携することで、より高機能のエネルギー管理機能を提供できる。
【０１１５】
第５の態様のエネルギー管理モジュール（２，２Ａ，２Ｂ，２Ｃ）では、第１〜４のいずれかの態様において、処理部（２１）が変更部（２１４）を備えている。変更部（２１４）は、主装置（３）が備える１以上の主装置側機能部（３３，３４，３５）がエネルギー管理機能に利用できるか否かを判断し、エネルギー管理機能を実行する動作を判断結果に応じて変更する。
【０１１６】
この構成によれば、主装置（３）が備える主装置側機能部（３３，３４，３５）に応じて、変更部（２１４）がエネルギー管理機能を実行する動作を変更することができる。
【０１１７】
第６の態様のエネルギー管理モジュール（２，２Ａ，２Ｂ，２Ｃ）では、第１〜５のいずれかの態様において、処理部（２１）は、接続部（２２）により接続される主装置（３）を認証する認証部（２１５）を、備える。処理部（２１）は、認証部（２１５）による主装置（３）の認証が失敗したときにエネルギー管理機能を制限する。
【０１１８】
この構成によれば、認証部（２１５）が主装置（３）の認証に失敗した場合には、処理部（２１）はエネルギー管理機能を制限するので、セキュリティ性能が向上する、という利点がある。
【０１１９】
第７の態様のエネルギー管理モジュール（２，２Ａ，２Ｂ，２Ｃ）は、第１〜６のいずれかの態様において、所定の機能を実行する１以上のモジュール側機能部（２３）を、更に備える。接続部（２２）により接続される主装置（３）の主装置側制御部（３１）によって、モジュール側機能部（２３）が制御される。
【０１２０】
この構成によれば、主装置（３）の制御部（３１）がモジュール側機能部（２３）を制御するので、主装置（３）の制御部（３１）に、主機能を実行する機能と、モジュール側機能部（２３）を制御する機能とを持たせることができる。
【０１２１】
第８の態様のエネルギー管理モジュール（２，２Ａ，２Ｂ，２Ｃ）では、第１〜７のいずれかの態様において、処理部（２１）は、主装置（３）が備えるヒューマンインタフェース（３５）を用いて入力された操作情報に従って、エネルギー管理機能を実行する。
【０１２２】
この構成によれば、エネルギー管理モジュール（２，２Ａ，２Ｂ，２Ｃ）が、ヒューマンインタフェースを備える必要がない、という利点がある。
【０１２３】
第２〜第８の態様に係る構成については、エネルギー管理モジュール（２，２Ａ，２Ｂ，２Ｃ）に必須の構成ではなく、適宜省略可能である。
【０１２４】
第９の態様のエネルギー管理装置（４，４Ａ，４Ｂ，４Ｃ）は、第１〜８のいずれかの態様のエネルギー管理モジュール（２，２Ａ，２Ｂ，２Ｃ）と、主装置（３）と、を備える。主装置（３）には、接続部（２２）によりエネルギー管理モジュール（２，２Ａ，２Ｂ，２Ｃ）が接続される。
【０１２５】
この構成によれば、単体では主機能を実行可能な主装置（３）にエネルギー管理機能を付加できるので、エネルギー管理機能を実行するための専用の装置が不要になる、という利点がある。
【０１２６】
第１０の態様のエネルギー管理システム（１）は、第１〜８のいずれかの態様のエネルギー管理モジュール（２，２Ａ，２Ｂ，２Ｃ）と、主装置（３）と、外部装置（５）とを備える。主装置（３）には、接続部（２２）によりエネルギー管理モジュール（２，２Ａ，２Ｂ，２Ｃ）が接続される。外部装置（５）は、でのエネルギーの消費と生成との少なくとも一方に関するエネルギー情報をエネルギー管理モジュール（２，２Ａ，２Ｂ，２Ｃ）から収集する。
【０１２７】
この構成によれば、単体では主機能を実行可能な主装置（３）にエネルギー管理機能を付加できるので、エネルギー管理機能を実行するための専用の装置が不要になる、という利点がある。
【０１２８】
第１１の態様のプログラムは、主装置（３）のコンピュータに、需要家施設（Ｆ１）でのエネルギーの消費と生成との少なくとも一方に関するエネルギー情報を収集する処理を、実行させるためのプログラムである。主装置（３）は、需要家施設Ｆ１でのエネルギーの消費と生成との少なくとも一方を管理するエネルギー管理機能とは異なる主機能を単体で実行可能である。
【０１２９】
この構成によれば、単体では主機能を実行可能な主装置（３）にエネルギー管理機能を付加できる。
【０１３０】
なお、第１１の態様のプログラムは、このプログラムを記録したコンピュータ読み取り可能な記録媒体として提供されてもよい。
【符号の説明】
【０１３１】
１  エネルギー管理システム
２，２Ａ，２Ｂ，２Ｃ  エネルギー管理モジュール
３  主装置
４，４Ａ，４Ｂ，４Ｃ  エネルギー管理装置
５  外部装置
６  通信モジュール
２１，２１Ａ，２１Ｂ，２１Ｃ  モジュール側処理部（処理部）
２２  モジュール側接続部（接続部）
２３  モジュール側通信部（モジュール側機能部）
３１  主装置側制御部
３３，３３Ａ  主装置側通信部（主装置側機能部）
３４  表示部（主装置側機能部）
３５  入力部（主装置側機能部、ヒューマンインタフェース）
２１１  情報収集部
２１２  情報整理部
２１３  外部指令制御部
２１４  変更部
２１５  認証部
Ｆ１  需要家施設
【図１】
2018170939.tif 000003
【図２】
2018170939.tif 000004
【図３】
2018170939.tif 000005
【図４】
2018170939.tif 000006
【図５】
2018170939.tif 000007
【図６】
2018170939.tif 000008